(57)【要約】【課題】  記録済み用紙の一部を修正することができ、記録済み用紙の廃棄を少なくすることで省資源化を図ることができる画像形成装置を提供する。【解決手段】  給紙部３０は、印刷情報が記録された記録済み用紙を給紙し、制御部１００は、給紙部３０によって給紙される記録済み用紙上における印刷情報の所定の部分を消去エリアとして特定し、画像形成部２Ｗは、制御部１００によって特定された消去エリアに、記録済み用紙の下地の色と同じ色のトナー画像を形成し、中間転写ベルトは、給紙部３０によって給紙される記録済み用紙に画像形成部２Ｗによって形成されたトナー画像を転写する。【選択図】      図２
2007007957.tif 000002
【特許請求の範囲】
【請求項１】
印刷情報が記録された記録済み用紙を給紙する給紙手段と、
前記給紙手段によって給紙される前記記録済み用紙上における印刷情報の所定の部分を消去領域として特定する特定手段と、
前記特定手段によって特定された前記消去領域に、前記記録済み用紙の下地の色と同じ色のトナー画像を形成する画像形成手段と、
前記給紙手段によって給紙される前記記録済み用紙に前記画像形成手段によって形成されたトナー画像を転写する転写手段とを備えることを特徴とする画像形成装置。
【請求項２】
前記画像形成手段は、前記記録済み用紙の下地の色と同じ色のトナー画像が形成された前記消去領域内に図形、記号及び文字のうちの少なくとも一つを含むトナー画像を形成することを特徴とする請求項１記載の画像形成装置。
【請求項３】
前記画像形成手段は、ホワイトのトナー画像を形成するホワイト用画像形成手段と、イエローのトナー画像を形成するイエロー用画像形成手段と、シアンのトナー画像を形成するシアン用画像形成手段と、マゼンタのトナー画像を形成するマゼンタ用画像形成手段とを含み、
前記ホワイト用画像形成手段は、前記特定手段によって特定された前記消去領域にホワイトのトナー画像を形成し、
前記イエロー用画像形成手段、前記シアン用画像形成手段及び前記マゼンタ用画像形成手段は、前記ホワイト用画像形成手段によってホワイトのトナー画像が形成された前記消去領域内に図形、記号及び文字のうちの少なくとも一つを含むトナー画像を形成することを特徴とする請求項２記載の画像形成装置。
【請求項４】
ブラックのトナー画像を形成するブラック用画像形成手段にブラックのトナーを供給するブラックトナー供給手段と、ホワイトのトナーを供給するホワイトトナー供給手段との形状が同一であることを特徴とする請求項３記載の画像形成装置。
【請求項５】
前記転写手段は、各色毎の画像形成手段によって形成されるトナー画像が１次転写されるとともに、１次転写されたトナー画像を記録済み用紙に２次転写する中間転写ベルトを含み、
前記ホワイト用画像形成手段は、前記中間転写ベルト上の他色用の画像形成手段による画像転写位置よりも下流側に設けられていることを特徴とする請求項３記載の画像形成装置。
【請求項６】
通信可能に接続されたコンピュータから、前記消去領域を特定するための消去領域特定情報を含む印刷要求を受信する受信手段をさらに備え、
前記特定手段は、前記受信手段によって受信された前記印刷要求に含まれる消去領域特定情報に基づいて、前記給紙手段によって給紙される前記記録済み用紙上における印刷情報の前記消去領域を特定することを特徴とする請求項１記載の画像形成装置。
【請求項７】
前記受信手段は、前記消去領域にトナー画像を形成するための図形、記号及び文字のうちの少なくとも一つを含む画像情報をさらに含む印刷要求を受信し、
前記画像形成手段は、前記受信手段によって受信された印刷要求に含まれる前記画像情報に基づいて、前記記録済み用紙の下地の色と同じ色のトナー画像が形成される前記消去領域内に図形、記号及び文字のうちの少なくとも一つを含むトナー画像を形成することを特徴とする請求項６記載の画像形成装置。
【請求項８】
前記受信手段は、ホワイトのトナーに他の色を加色することによって前記記録済み用紙の下地の色と同じ色を再現するための加色情報をさらに含む印刷要求を受信し、
前記画像形成手段は、前記受信手段によって受信された印刷情報に含まれる加色情報に基づいて、ホワイトのトナーに他の色を加色し、前記特定手段によって特定された前記消去領域内に、前記記録済み用紙の下地の色と同じ色のトナー画像を形成することを特徴とする請求項６記載の画像形成装置。
【請求項９】
前記記録済み用紙に記録されている印刷情報を読み取る読み取り手段と、
前記読み取り手段によって読み取られた前記記録済み用紙の印刷情報を前記コンピュータへ送信する送信手段とを備えることを特徴とする請求項６記載の画像形成装置。
【発明の詳細な説明】
【技術分野】
【０００１】
本発明は、スキャナ、プリンタ、コピー機及びこれらの機能を有する複合機などの画像形成装置に関するものであり、特に、記録済み用紙に記録されている印刷情報の修正を行う画像形成装置に関するものである。
【背景技術】
【０００２】
従来、着色剤による画像を消色して記録用紙の全面を再記録可能な状態にする消色装置を装置内に組込むことで、記録用紙の再生及び新たな画像印字を行なうことのできる画像形成装置が知られている（例えば、特許文献１参照）。また、カセットから現像までの給紙搬送経路にスキャナを設け画像を取り込み、消去領域を設定する画像形成装置が知られている（例えば、特許文献２参照）。
【特許文献１】特開平６−９９６４４号公報
【特許文献２】特開２００３−１３６８１１号公報
【発明の開示】
【発明が解決しようとする課題】
【０００３】
上記の特許文献１の方法は、記録紙の全面を消去することで記録紙を再生するものであり、記録済みの用紙の一部だけを消色することは困難である。また、上記の特許文献２の方法は、消去領域を設定するためのスキャナを搬送経路に設けているが、記録済みの用紙を再利用するためだけにこのような専用の装置を導入するのは利用者の負担が大きく、簡易な方法で実現する必要がある。
【０００４】
本発明は、上記の問題を解決するためになされたもので、記録済み用紙の一部を修正することができ、記録済み用紙の廃棄を少なくすることで省資源化を図ることができる画像形成装置を提供することを目的とするものである。
【課題を解決するための手段】
【０００５】
本発明に係る画像形成装置は、印刷情報が記録された記録済み用紙を給紙する給紙手段と、前記給紙手段によって給紙される前記記録済み用紙上における印刷情報の所定の部分を消去領域として特定する特定手段と、前記特定手段によって特定された前記消去領域に、前記記録済み用紙の下地の色と同じ色のトナー画像を形成する画像形成手段と、前記給紙手段によって給紙される前記記録済み用紙に前記画像形成手段によって形成されたトナー画像を転写する転写手段とを備える。
【０００６】
この構成によれば、給紙手段によって、印刷情報が記録された記録済み用紙が給紙され、特定手段によって、給紙手段により給紙される記録済み用紙上における印刷情報の所定の部分が消去領域として特定される。そして、画像形成手段によって、特定手段により特定された消去領域に、記録済み用紙の下地の色と同じ色のトナー画像が形成され、転写手段によって、給紙手段により給紙される記録済み用紙に画像形成手段により形成されたトナー画像が転写される。
【０００７】
したがって、記録済み用紙上における印刷情報の所定の部分が消去領域として特定され、特定された消去領域に、記録済み用紙の下地の色と同じ色のトナー画像が形成されるので、記録済み用紙の一部を修正することができ、記録済み用紙の廃棄を少なくすることで省資源化を図ることができる。
【０００８】
また、上記の画像形成装置において、前記画像形成手段は、前記記録済み用紙の下地の色と同じ色のトナー画像が形成された前記消去領域内に図形、記号及び文字のうちの少なくとも一つを含むトナー画像を形成することが好ましい。
【０００９】
この構成によれば、画像形成手段によって、記録済み用紙の下地の色と同じ色のトナー画像が形成された消去領域内に図形、記号及び文字のうちの少なくとも一つを含むトナー画像が形成されるので、記録済み用紙の一部分を擬似的に消去し、消去した部分に図形、記号及び文字のうちの少なくとも一つを印刷することができる。
【００１０】
また、上記の画像形成装置において、前記画像形成手段は、ホワイトのトナー画像を形成するホワイト用画像形成手段と、イエローのトナー画像を形成するイエロー用画像形成手段と、シアンのトナー画像を形成するシアン用画像形成手段と、マゼンタのトナー画像を形成するマゼンタ用画像形成手段とを含み、前記ホワイト用画像形成手段は、前記特定手段によって特定された前記消去領域にホワイトのトナー画像を形成し、前記イエロー用画像形成手段、前記シアン用画像形成手段及び前記マゼンタ用画像形成手段は、前記ホワイト用画像形成手段によってホワイトのトナー画像が形成された前記消去領域内に図形、記号及び文字のうちの少なくとも一つを含むトナー画像を形成することが好ましい。
【００１１】
この構成によれば、ホワイト用画像形成手段によって、特定手段により特定された消去領域にホワイトのトナー画像が形成され、イエロー用画像形成手段、シアン用画像形成手段及びマゼンタ用画像形成手段によって、前記ホワイト用画像形成手段によりホワイトのトナー画像が形成された消去領域内に図形、記号及び文字のうちの少なくとも一つを含むトナー画像が形成される。
【００１２】
したがって、消去領域にホワイトのトナー画像が形成され、ホワイトのトナー画像が形成された消去領域内に画像及び文字のうちの少なくとも一方のトナー画像が形成されるので、消去領域内の印刷情報を白色で擬似的に消去することができ、さらにイエロー、シアン及びマゼンタを用いて図形、記号及び文字のうちの少なくとも一つを印刷することができる。
【００１３】
また、上記の画像形成装置において、ブラックのトナー画像を形成するブラック用画像形成手段にブラックのトナーを供給するブラックトナー供給手段と、ホワイトのトナーを供給するホワイトトナー供給手段との形状が同一であることが好ましい。
【００１４】
この構成によれば、ブラックのトナー画像を形成するブラック用画像形成手段にブラックのトナーを供給するブラックトナー供給手段と、ホワイトのトナーを供給するホワイトトナー供給手段との形状が同一であるので、ブラックのトナーをホワイトのトナーに換えることができる。したがって、通常、画像形成装置は、ブラックのトナー画像を形成するブラック用画像形成手段を備えているが、このブラック用画像形成手段にトナーを供給するブラックトナー供給手段をホワイトトナー供給手段に換えるという簡単な構成で消去領域にホワイトのトナー画像を形成することができる。
【００１５】
また、上記の画像形成装置において、前記転写手段は、各色毎の画像形成手段によって形成されるトナー画像が１次転写されるとともに、１次転写されたトナー画像を記録済み用紙に２次転写する中間転写ベルトを含み、前記ホワイト用画像形成手段は、前記中間転写ベルト上の他色用の画像形成手段による画像転写位置よりも下流側に設けられていることが好ましい。
【００１６】
この構成によれば、中間転写ベルトによって、各色毎の画像形成手段によって形成されるトナー画像が１次転写されるとともに、１次転写されたトナー画像が記録済み用紙に２次転写され、ホワイト用画像形成手段が、中間転写ベルト上の他色用の画像形成手段による画像転写位置よりも下流側に設けられている。したがって、他の色のトナー画像よりも後にホワイトのトナー画像が中間転写ベルトに１次転写されるので、最初にホワイトのトナー画像が記録済み用紙に転写され、消去領域のホワイトのトナー画像と、画像及び文字の少なくとも一方のトナー画像とを１度に記録済み用紙に転写することができる。
【００１７】
また、上記の画像形成装置において、通信可能に接続されたコンピュータから、前記消去領域を特定するための消去領域特定情報を含む印刷要求を受信する受信手段をさらに備え、前記特定手段は、前記受信手段によって受信された前記印刷要求に含まれる消去領域特定情報に基づいて、前記給紙手段によって給紙される前記記録済み用紙上における印刷情報の前記消去領域を特定することが好ましい。
【００１８】
この構成によれば、受信手段によって、通信可能に接続されたコンピュータから、消去領域を特定するための消去領域特定情報を含む印刷要求が受信される。そして、特定手段によって、受信手段により受信された印刷要求に含まれる消去領域特定情報に基づいて、給紙手段により給紙される記録済み用紙上における印刷情報の消去領域が特定される。
【００１９】
したがって、通信可能に接続されたコンピュータによって送信された印刷要求に含まれる消去領域特定情報に基づいて、記録済み用紙上における印刷情報の消去領域が特定されるので、記録済み用紙を搬送する搬送経路上に、記録済み用紙の印刷情報を読み取るスキャナを別途設ける必要が無く、画像形成装置の構成を簡略化することができる。
【００２０】
また、上記の画像形成装置において、前記受信手段は、前記消去領域にトナー画像を形成するための図形、記号及び文字のうちの少なくとも一つを含む画像情報をさらに含む印刷要求を受信し、前記画像形成手段は、前記受信手段によって受信された印刷要求に含まれる前記画像情報に基づいて、前記記録済み用紙の下地の色と同じ色のトナー画像が形成される前記消去領域内に図形、記号及び文字のうちの少なくとも一つを含むトナー画像を形成することが好ましい。
【００２１】
この構成によれば、受信手段によって、消去領域にトナー画像を形成するための図形、記号及び文字のうちの少なくとも一つを含む画像情報をさらに含む印刷要求が受信される。そして、画像形成手段によって、受信手段により受信された印刷要求に含まれる画像情報に基づいて、記録済み用紙の下地の色と同じ色のトナー画像が形成される消去領域内に図形、記号及び文字のうちの少なくとも一つを含むトナー画像が形成される。
【００２２】
したがって、通信可能に接続されたコンピュータによって送信された印刷要求に含まれる画像情報に基づいて、記録済み用紙の下地の色と同じ色のトナー画像が形成される消去領域内に図形、記号及び文字のうちの少なくとも一つを含むトナー画像が形成されるので、図形、記号及び文字のうちの少なくとも一つを含む画像情報を入力するための入力装置を画像形成装置に設ける必要が無く、画像形成装置の構成を簡略化することができる。
【００２３】
また、上記の画像形成装置において、前記受信手段は、ホワイトのトナーに他の色を加色することによって前記記録済み用紙の下地の色と同じ色を再現するための加色情報をさらに含む印刷要求を受信し、前記画像形成手段は、前記受信手段によって受信された印刷情報に含まれる加色情報に基づいて、ホワイトのトナーに他の色を加色し、前記特定手段によって特定された前記消去領域内に、前記記録済み用紙の下地の色と同じ色のトナー画像を形成することが好ましい。
【００２４】
この構成によれば、受信手段によって、ホワイトのトナーに他の色を加色することにより記録済み用紙の下地の色と同じ色を再現するための加色情報をさらに含む印刷要求が受信される。そして、画像形成手段によって、受信手段により受信された印刷情報に含まれる加色情報に基づいて、ホワイトのトナーに他の色を加色し、特定手段により特定された消去領域内に、記録済み用紙の下地の色と同じ色のトナー画像が形成される。したがって、記録済み用紙の下地の色がホワイト以外であったとしても、他の色を加色することにより、消去領域内を記録済み用紙の下地の色と同じにすることができる。
【００２５】
また、上記の画像形成装置において、前記記録済み用紙に記録されている印刷情報を読み取る読み取り手段と、前記読み取り手段によって読み取られた前記記録済み用紙の印刷情報を前記コンピュータへ送信する送信手段とを備えることが好ましい。
【００２６】
この構成によれば、読み取り手段によって、記録済み用紙に記録されている印刷情報が読み取られ、送信手段によって、読み取り手段により読み取られた記録済み用紙の印刷情報がコンピュータへ送信される。したがって、コンピュータ内に記録済み用紙の印刷情報が存在しない場合であっても、読み取り手段によって読み取られた印刷情報をコンピュータに送信することによって、画像形成装置ではなく、コンピュータで消去領域特定情報を作成することができる。
【発明の効果】
【００２７】
本発明によれば、記録済み用紙上における印刷情報の所定の部分が消去領域として特定され、特定された消去領域に、記録済み用紙の下地の色と同じ色のトナー画像が形成されるので、記録済み用紙の一部を修正することができ、記録済み用紙の廃棄を少なくすることで省資源化を図ることができる。
【発明を実施するための最良の形態】
【００２８】
以下、本発明に係る画像形成装置の一例としての複写機について図面を参照しながら説明する。図１は、本発明の一実施形態に係る画像形成装置の一例としての複写機の内部構成を概略的に示す断面図である。
【００２９】
図１に示す複合機１は、スキャナ機能、プリンタ機能、コピー機能及びファクシミリ機能を有する画像形成装置である。複合機１は、本体部１０、本体部１０の上方に設置された原稿読取部２０、及び本体部１０の下部に設置されたに給紙部３０を備えている。
【００３０】
原稿読取部２０は、開閉可能な原稿押え２０１と、本体部１０内でコンタクトガラス２０２を介して原稿押え２０１と対向配置された光学系ユニット２０３とを備えて構成されている。なお、本実施形態においては、コンタクトガラス２０２は、載置された原稿の原稿面を読み取るための、原稿押え２０１より若干小さい平面形状を有する載置原稿用コンタクトガラス２０２ａと、自動給紙された原稿の原稿面を読み取る前後方向に長尺の細長い自動給紙用コンタクトガラス２０２ｂとが採用されている。
【００３１】
前記原稿押え２０１は、二段構造で構成され、上段に設けられた原稿を載置するための原稿トレイ２０４と、下段に設けられた画像読み取り済の原稿が排紙される原稿排紙トレイ２０５とを有している。原稿押え２０１の左側部には、原稿トレイ２０４と原稿排紙トレイ２０５との間に介設された原稿送り部２０６が形成され、この原稿送り部２０６に設けられた図略の原稿送り機構によって原稿トレイ２０４上に載置された用紙束から１枚ずつがピックアップされて自動給紙用コンタクトガラス２０２ｂへ供給され、移動しながらこの自動給紙用コンタクトガラス２０２ｂを介して光学系ユニット２０３により原稿面が読み取られるようになっている。
【００３２】
光学系ユニット２０３は、図略の光源や複数のミラー、レンズユニット、さらにはＣＣＤ（ｃｈａｒｇｅ  ｃｏｕｐｌｅｄ  ｄｅｖｉｃｅ）等を有している。そして、光源からの光が原稿面で反射され、この反射光がこれらミラーおよびレンズユニットを介して原稿情報としてＣＣＤに入力されるようになっている。ＣＣＤに入力されたアナログ量としての原稿情報は、ディジタル信号に変換され、ディジタルの原稿情報として所定の記憶装置に記憶されるようになっている。
【００３３】
給紙部３０は、記録紙が載置される給紙カセット３１と、既に印刷情報が記録されている記録済み用紙が載置される手差しトレイ３２とを備える。給紙カセット３１に載置されている記録紙は、ピックアップローラ３１１によって１枚ずつ記録紙搬送路１５へ給送される。手差しトレイ３２に載置されている記録済み用紙は、フィードローラ３２１によって１枚ずつ記録紙搬送路１５へ給送される。
【００３４】
図１に示すように、複合機１の本体部１０には、イエロー（Ｙ）、マゼンタ（Ｍ）、シアン（Ｃ）、白色（Ｗ）の各色別に画像形成部２Ｙ、２Ｍ、２Ｃ、２Ｗが設けられている。各画像形成部２Ｙ、２Ｍ、２Ｃ、２Ｗ内には、それぞれ現像装置３と、感光体ドラム４と、帯電部５と、露光部（ＬＥＤプリントヘッドユニット等）６と、トナー供給部７と、クリーニング部８と、転写ローラ１７とがそれぞれ備えられている。
【００３５】
画像形成部２Ｙ、２Ｍ、２Ｃ、２Ｗが配設（並設）されている下方にはベルト体である中間転写ベルト９が配設されている。この中間転写ベルト９は、転写ローラ１７によって各画像形成部２Ｙ、２Ｍ、２Ｃ、２Ｗの感光体ドラム４に押し付けられた状態とされ、図略のモータ等によって回転駆動される駆動ローラ１１、１２によって、上記各感光体ドラム４の回転方向の順方向、すなわち、記録紙搬送路１５における記録紙の搬送方向（符号Ａに示す矢印方向）に無端回転するように構成されている。
【００３６】
また、２つの駆動ローラ１１，１２の間には、従動ローラ１３が設けられている。この従動ローラ１３は、給紙カセット３１又は手差しトレイ３２から記録紙排出部１４までを繋ぐ記録紙搬送路１５に配設されている。この記録紙搬送路１５には、従動ローラ１３と対向する位置に、２次転写ローラ１６が中間転写ベルト９を介して設けられている。また、記録紙搬送路１５における上記２次転写ローラ１６よりもさらに下流側の位置には、定着ローラ対等からなる定着装置１９が配設されている。
【００３７】
カラープリント時には、画像形成部２Ｍ、２Ｃ、２Ｙにおいて、それぞれマゼンタ、シアン、イエローの各色のトナー画像が各感光体ドラム４上に形成される。そして、この各感光体ドラム４上に形成された各色のトナー画像は、無端回転される中間転写ベルト９上に、それぞれタイミングを合わせて、マゼンタ、シアン、イエローの順に転写されて重ね合わされる。この中間転写ベルト９に一旦転写された各色のトナー画像が順に重ね合わされてなるカラー画像は、上記無端回転により従動ローラ１３の位置まで移動される。このとき、ホワイト用の画像形成部２Ｗは使用されない。
【００３８】
次に、この中間転写ベルト９上のカラー画像は、従動ローラ１３と対向して配置される２次転写ローラ１６の位置、すなわち、２次転写ローラ１６と従動ローラ１３の位置の中間転写ベルト９とのニップ部において、給紙カセット３１又は手差しトレイ３２から記録紙搬送路１５を搬送されてきた記録紙に対して転写される。このように、２次転写ローラ１６の画像転写位置（間接転写位置）においては、画像形成部２Ｙ、２Ｍ、２Ｃからの各色のトナー画像が重ね合わされてなるカラー画像が、間接転写方式により記録紙に対して一度に転写される構成となっている。
【００３９】
また、記録済み用紙に記録されている印刷情報を擬似的に消去する場合には、ホワイト用の画像形成部２Ｗのみが使用され、マゼンタ用、シアン用、イエロー用の画像形成部２Ｍ、２Ｃ、２Ｙは使用されない。すなわち、画像形成部２Ｗにおいて、ホワイトのトナー画像が各感光体ドラム４上に形成される。そして、この各感光体ドラム４上に形成されたトナー画像は、無端回転される中間転写ベルト９上に転写される。この中間転写ベルト９に一旦転写された白色のトナー画像は、上記無端回転により従動ローラ１３の位置まで移動される。
【００４０】
なお、本実施の形態における消去とは、記録済み用紙に定着されているトナーを剥がしたり、消したりすることではなく、記録済み用紙に定着されているトナーの上に、記録済み用紙の下地の色と同じ色のトナーを定着させることで元の印刷情報を覆い見えなくする擬似的な消去を意味する。
【００４１】
また、記録済み用紙に記録されている印刷情報を擬似的に消去し、新たに図形、記号又は文字を追加する場合には、画像形成部２Ｍ、２Ｃ、２Ｙ、２Ｗにおいて、それぞれマゼンタ、シアン、イエロー、ホワイトの各色のトナー画像が各感光体ドラム４上に形成される。そして、この各感光体ドラム４上に形成された各色のトナー画像は、無端回転される中間転写ベルト９上に、それぞれタイミングを合わせて、マゼンタ、シアン、イエロー、ホワイトの順に転写されて重ね合わされる。この中間転写ベルト９に一旦転写された各色のトナー画像が順に重ね合わされてなるカラー画像は、上記無端回転により従動ローラ１３の位置まで移動される。
【００４２】
２次転写ローラ１６は、後述する転写バイアス部からの転写バイアスによって、中間転写ベルト９上の上記カラー画像を記録紙の例えば表面へ転写する。このカラー画像が転写された記録紙は、さらに下流に配置された定着装置１９まで搬送され、定着装置１９においてカラー画像の定着がなされた後、記録紙排出部１４へ排出される。
【００４３】
なお、上記カラープリント時には、記録紙は、中間転写ベルト９上にマゼンタ、シアン、イエローの順に形成されたトナー画像（カラー画像）が、中間転写ベルト９の無端回転に伴って２次転写ローラ１６の画像転写位置に到達するのに同期して、給紙カセット３１から当該２次転写ローラ１６の画像転写位置（２次転写ローラ１６と中間転写ベルト９とのニップ部）まで搬送されてくる。
【００４４】
また、記録済み用紙に記録されている印刷情報を擬似的に消去する場合、記録済み用紙は、中間転写ベルト９上に形成されたホワイトのトナー画像（カラー画像）が、中間転写ベルト９の無端回転に伴って２次転写ローラ１６の画像転写位置に到達するのに同期して、手差しトレイ３２から当該２次転写ローラ１６の画像転写位置（２次転写ローラ１６と中間転写ベルト９とのニップ部）まで搬送されてくる。
【００４５】
また、記録済み用紙に記録されている印刷情報を擬似的に消去し、新たに図形、記号又は文字を追加する場合、記録済み用紙は、中間転写ベルト９上にマゼンタ、シアン、イエロー、ホワイトの順に形成されたトナー画像（カラー画像）が、中間転写ベルト９の無端回転に伴って２次転写ローラ１６の画像転写位置に到達するのに同期して、手差しトレイ３２から当該２次転写ローラ１６の画像転写位置（２次転写ローラ１６と中間転写ベルト９とのニップ部）まで搬送されてくる。
【００４６】
図２は、上記複合機１の概略構成を示すブロック図である。複合機１には、複合機１全体の制御を司る制御部１００が備えられている。制御部１００には、装置全体の動作プログラム等を記憶したＲＯＭ（リードオンリメモリ）１０１が接続され、画像データ等を一時的に格納するとともに作業領域等として機能するＲＡＭ（ランダムアクセスメモリ）１０２が接続されている。また、制御部１００には、各色用の画像形成部２Ｙ、２Ｍ、２Ｃ、２Ｗが接続されている。
【００４７】
制御部１００は、画像形成部２Ｙ、２Ｍ、２Ｃ、２Ｗにそれぞれ備えられている現像装置３、帯電部５、露光部６、感光体ドラム４の駆動源であるドラムモータ１０３、及び転写バイアス部１０４を制御する。転写バイアス部１０４は、画像形成部２Ｍ、２Ｃ、２Ｙ、２Ｗの各感光体ドラム４上のトナー画像を中間転写ベルト９へ間接転写するための転写バイアスを転写ローラ１７に印加する。
【００４８】
なお、図２では、マゼンタ、シアン、イエロー、ホワイト用の各画像形成部を１つの画像形成部で示しているが、実際には各色用にそれぞれの画像形成部が制御部１００に接続されて制御されている。
【００４９】
制御部１００は、各転写ローラ１７の駆動源である転写ローラ駆動モータ１０５と、中間転写ベルト９を無端回転させるための駆動ローラ１１、１２の駆動源であるベルト駆動モータ１０６と、給紙カセット３１又は手差しトレイ３２から記録紙排出部１４まで記録紙を搬送するべく記録紙搬送路１５に設けられている図略の各搬送ローラを回転駆動する搬送ローラ駆動モータ１０７と、２次転写ローラ１６の駆動源である２次転写ローラ駆動モータ１０８とを制御する。
【００５０】
また、制御部１００は、２次転写ローラ１６に転写バイアスを印加する２次転写バイアス部１０９を制御する。また、制御部１００は、インタフェイス（Ｉ／Ｆ）１２０を介し、所定のネットワーク等を経由して外部のＰＣ（パーソナルコンピュータ）１３０と通信可能に接続されており、複合機１はこのＰＣ１３０から入力される画像データ等に基づいて画像形成を行なう。
【００５１】
ＰＣ１３０は、ＲＯＭ、ＣＰＵ（中央演算処理装置）、ＲＡＭ、外部記憶装置、入力装置、通信部及び表示装置を備える。ＲＯＭには、ＰＣ１３０を動作させるための基本プログラム等が予め記憶されている。ＲＡＭは、ＣＰＵの作業領域等として用いられる。外部記憶装置は、ハードディスクドライブ等の外部記憶装置から構成され、画像データを修正するための画像データ修正プログラムを記憶する。
【００５２】
ＣＰＵは、ＲＯＭから基本プログラム等を読み出すとともに、外部記憶装置から画像データ修正プログラム等を読み出し、画像データを修正するための画像データ修正処理等を実行し、必要なデータ等を複合機１との間で通信部を用いて送受信する。
【００５３】
表示装置は、ＣＲＴ（陰極線管）又は液晶表示装置等から構成され、ＣＰＵの制御の下、複合機１によって印刷される印刷情報を表示する。入力装置は、キーボード及びマウス等から構成され、表示装置によって表示される印刷情報のうち、ユーザが消去を所望する消去エリアの入力を受け付けるとともに、消去エリア上に上書きする図形、記号及び文字のうちの少なくとも一つの入力を受け付ける。通信部は、モデムまたはルータ等から構成され、ネットワークを介した複合機１との通信を制御する。
【００５４】
また、制御部１００は、給紙部３０によって給紙される記録済み用紙上における印刷情報の所定の部分消去エリアとして特定する。ホワイト用画像形成部２Ｗは、制御部１００によって特定された消去エリア内の印刷情報を擬似的に消去するためのホワイトのトナー画像を形成する。このとき、ホワイト用画像形成部２Ｗは、消去エリア内全体を覆うトナー画像を形成し、このトナー画像が記録済み用紙に転写されることにより、消去エリア内の印刷情報が擬似的に消去されることとなる。
【００５５】
また、Ｉ／Ｆ１２０は、通信可能に接続されたＰＣ１３０から、消去エリアを特定するための消去エリア情報を含む印刷要求を受信する。制御部１００は、Ｉ／Ｆ１２０によって受信された印刷要求に含まれる消去エリア情報に基づいて、給紙部３０によって給紙される記録済み用紙上における印刷情報の消去エリアを特定する。
【００５６】
イエロー用画像形成部２Ｙ、シアン用画像形成部２Ｃ及びマゼンタ用画像形成部２Ｍは、ホワイト用画像形成部２Ｗによってホワイトのトナー画像が形成された消去エリア内に図形、記号及び文字のうちの少なくとも一つを含むトナー画像を形成する。Ｉ／Ｆ１２０は、消去エリアにトナー画像を形成するための図形、記号及び文字のうちの少なくとも一つを含む画像情報（画像データ）をさらに含む印刷要求を受信する。画像形成部２Ｙ，２Ｃ，２Ｍは、Ｉ／Ｆ１２０によって受信された印刷要求に含まれる画像情報に基づいて、記録済み用紙の下地の色と同じ色のトナー画像が形成される消去エリア内に図形、記号及び文字のうちの少なくとも一つを含むトナー画像を形成する。
【００５７】
また、Ｉ／Ｆ１２０は、ホワイトのトナーに他の色を加色することによって記録済み用紙の下地の色と同じ色を再現するための加色情報をさらに含む印刷要求を受信する。画像形成部２Ｙ，２Ｃ，２Ｍは、Ｉ／Ｆ１２０によって受信された印刷情報に含まれる加色情報に基づいて、ホワイトのトナーに他の色を加色し、制御部１００によって特定された消去エリア内に、記録済み用紙の下地の色と同じ色のトナー画像を形成する。
【００５８】
さらに、制御部１００には、定着装置１９が接続されており、定着装置１９の定着ローラ対を回転駆動する駆動モータ、及び定着ローラ対の一方の熱ローラ内に設けられているヒータ等の制御が行われる。また、制御部１００には、原稿読取部２０が接続されており、光学系ユニット２０３等の制御を行い、原稿の読み取りを行って当該原稿に対応する画像データ（印刷情報）を取得する。制御部１００は、原稿読取部２０によって読み取られた画像データをＩ／Ｆ１２０を介してＰＣ１３０へ送信する。また、制御部１００には、給紙部３０が接続されており、手差しトレイ３２に載置された記録済み用紙を給紙する。
【００５９】
なお、制御部１００には、ユーザからの印刷指示等が入力されたり、各種メッセージを表示したりする表示パネル部を備えてなる操作部１１０が接続されており、制御部１００は、この操作部１１０からユーザによって選択的に入力された印刷指示情報を受け付け、当該受け付けた印刷指示情報に基づいて、各画像形成部２Ｙ、２Ｍ、２Ｃにおける画像の間接転写方式による転写動作を制御する。なお、当該操作部１１０から入力された印刷指示情報（直接転写方式あるいは間接転写方式）に基づいて、２次転写ローラ１６や駆動ローラ１１，１２等の各画像形成部２Ｙ、２Ｍ、２Ｃ以外の装置各部が制御されることは言うまでもない。
【００６０】
上記複合機１の構成は、あくまで一例に過ぎず、例えば、各画像形成部２Ｙ、２Ｍ、２Ｃ、２Ｗに備えられているドラムモータ１０３又は転写バイアス部１０４は、各画像形成部で１つのドラムモータ又は転写バイアス部を共用してもよい。また、転写ローラ１７、２次転写ローラ１６の駆動源として、転写ローラ駆動モータ１０５及び２次転写ローラ駆動モータ１０８を有さず、他の駆動源から駆動力の付与を受けて、転写ローラ１７、２次転写ローラ１６が駆動される構成としたり、１つの駆動源を各ローラの駆動源として共用したりする等、適宜変更が可能である。
【００６１】
また、本実施の形態におけるホワイト用画像形成部２Ｗは、ブラックのトナー画像を形成するブラック用画像形成部に供給するブラックのトナーをホワイトのトナーに換えることにより実現される。すなわち、ブラックのトナー画像を形成するブラック用画像形成部にブラックのトナーを供給するブラックトナー供給部７と、ホワイトのトナーを供給するホワイトトナー供給部７との形状が同一であり、ブラックトナー供給部７をホワイトトナー供給部７に換えることにより、制御部１００により特定された消去エリアにホワイトのトナー画像が形成される。この場合、制御部１００は、ＰＣ１３０により設定された消去エリアの色をホワイトからブラックに変換し、ホワイト用画像形成部２Ｗへ指示する。したがって、通常、画像形成装置は、ブラックのトナー画像を形成するブラック用画像形成部を備えているが、このブラック用画像形成部にトナー供給するブラックトナー供給部をホワイトトナー供給部に換えるという簡単な構成で消去エリアにホワイトのトナー画像を形成することができる。
【００６２】
なお、本実施の形態では、ブラックのトナーを供給するブラックトナー供給部７と、ホワイトのトナーを供給するホワイトトナー供給部７との形状が同一であるとしているが、本発明は特にこれに限定されず、現像装置３、感光体ドラム４、帯電部５、露光部６、トナー供給部７、クリーニング部８及び転写ローラ１７等を含む画像形成部が１つのユニットとして着脱可能である場合、ブラックのトナー画像を形成するブラック用画像形成部と、ホワイトのトナー画像を形成するホワイト用画像形成部との形状が同一であってもよい。この場合、ブラック用画像形成部をホワイト用画像形成部に換えることにより、制御部１００により特定された消去エリアにホワイトのトナー画像を形成することが可能となる。
【００６３】
さらに、本実施の形態では、中間転写ベルト９によって、各色毎の画像形成部２Ｍ，２Ｃ，２Ｙ，２Ｗによって形成されるトナー画像が１次転写されるとともに、１次転写されたトナー画像が記録済み用紙に２次転写され、ホワイト用画像形成部２Ｗが、中間転写ベルト９上の他色用の画像形成部２Ｍ，２Ｃ，２Ｙによる画像転写位置よりも下流側に設けられている。したがって、他の色のトナー画像よりも後にホワイトのトナー画像が中間転写ベルト９に１次転写されるので、最初にホワイトのトナー画像が記録済み用紙に転写され、消去エリア内の印刷情報を擬似的に消去するホワイトのトナー画像と、図形、記号及び文字のうちの少なくとも一つを含むトナー画像とを１度に記録済み用紙に転写することができる。
【００６４】
さらにまた、白色及び黒色のトナーのみを用いて印刷する場合、マゼンタ、シアン、イエロー用画像形成部２Ｍ，２Ｃ，２Ｙのうちのいずれか１つのトナー（トナー供給部）を、ブラックのトナー（トナー供給部）に換え、他の２つのトナーを使用しない構成としてもよい。この場合、マゼンタ、シアン、イエローの３色を用いて黒色を再現するよりも発色のよい黒色を再現することができる。なお、現像装置３、感光体ドラム４、帯電部５、露光部６、トナー供給部７、クリーニング部８及び転写ローラ１７等を含む画像形成部が１つのユニットとして着脱可能である場合、マゼンタ、シアン、イエロー用画像形成部２Ｍ，２Ｃ，２Ｙのうちのいずれか１つを、ブラックのトナー画像を形成するブラック用画像形成部と換えてもよい。
【００６５】
次に、本実施の形態における複合機１の動作について説明する。本実施の形態において、記録済み用紙に記録された印刷情報がＰＣ１３０に存在する場合と、印刷情報がＰＣ１３０に存在しない場合とでは動作が異なる。そこで、まず、ＰＣ１３０に印刷情報が存在する場合における複合機１の動作について説明する。
【００６６】
図３は、ＰＣに印刷情報が存在する場合における複合機１の動作について説明するためのフローチャートである。まず、ステップＳ１において、ＰＣ１３０は、ユーザが修正を所望する記録済み用紙に記録されている印刷情報と同じ印刷情報を表示する。図４は、印刷情報を表示する場合におけるＰＣの表示画面の一例を示す図である。例えば、図４に示すように、ＰＣ１３０の表示画面には、図形３０１と文字３０２とで構成される印刷情報３００が表示される。
【００６７】
図３に戻って、次に、ステップＳ２において、ＰＣ１３０は、表示される印刷情報の所定の部分を擬似的に消去する消去エリアの指定を受け付ける。例えば、画面上には、図形や文字などで構成される印刷情報と、マウスにより移動可能なポインタとが表示される。ユーザは、マウスボタンを押したままポインタをドラッグすることにより、印刷情報における消去エリアの範囲及び位置を指定する。図５は、印刷情報から消去エリアを指定する場合におけるＰＣの表示画面の一例を示す図である。例えば、図５に示すように、ＰＣ１３０の表示画面には、ユーザによって指定された消去エリア３０３が表示される。
【００６８】
図３に戻って、次に、ステップＳ３において、ＰＣ１３０は、印刷情報に対して新たに追加する図形、記号又は文字の入力を受け付ける。ユーザは、キーボードを用いて消去エリアの所望の位置に図形、記号又は文字を入力する。図６は、文字を追加した場合におけるＰＣの表示画面の一例を示す図である。図６に示すように、ＰＣ１３０の表示画面には、消去エリア３０３内にユーザによって追加された新たな文字３０４が表示されている。なお、本実施の形態では、消去エリア３０３外に新たな図形、記号又は文字を追加してもよい。
【００６９】
図３に戻って、次に、ステップＳ４において、ＰＣ１３０は、記録済み用紙の下地の色と同じ色を再現するために、白色トナーに加色する色に関する加色情報の入力を受け付ける。例えば、記録済み用紙の下地の色が赤色である場合、ユーザは、赤色を加色情報として入力する。
【００７０】
次に、ステップＳ５において、ＰＣ１３０は印刷要求を複合機１へ送信する。印刷要求には、記録済み用紙における消去エリアの位置及び範囲に関する消去エリア情報と、図形、記号及び文字のうちの少なくとも一つを含む画像情報と、加色情報とが含まれる。図７は、複合機へ送信される印刷要求データの一例を示す図である。図７に示すように、印刷要求データ３１０には、記録済み用紙における消去エリア３０３の範囲及び消去エリア３０３の位置を表す消去エリア情報と、消去エリア３０３内の色と記録済み用紙の下地の色とを同じにするための加色情報と、新たに追加する文字３０４を表す情報とが含まれる。
【００７１】
なお、本実施の形態では、消去エリア情報と画像情報と加色情報とを複合機１へ送信するとしているが、本発明は特にこれに限定されない。例えば、印刷情報の一部の擬似的な消去のみを行い、図形、記号及び文字のうちの少なくとも一つを追加しない場合、消去エリア情報と加色情報とを送信してもよい。また、記録済み用紙の下地の色が白色である場合、加色情報を送信せずに、消去エリア情報のみを送信してもよい。
【００７２】
次に、ステップＳ１１において、Ｉ／Ｆ１２０は、ＰＣ１３０によって送信された印刷要求を受信し、受信した印刷要求を制御部１００へ出力する。次に、ステップＳ１２において、制御部１００は、印刷要求が入力されると、手差しトレイ３２に載置された記録済み用紙の給紙を給紙部３０へ指示する。給紙部３０は、手差しトレイ３２に載置された記録済み用紙の給紙を開始する。
【００７３】
次に、ステップＳ１３において、制御部１００は、印刷要求に画像情報が含まれているか否かを判断する。ここで、印刷要求に画像情報が含まれていると判断された場合（ステップＳ１３でＹＥＳ）、ステップＳ１４において、図形、記号及び文字のうちの少なくとも一つを含むトナー画像を中間転写ベルト９へ１次転写するべく画像形成部２Ｍ，２Ｃ，２Ｙを制御する。画像形成部２Ｍ，２Ｃ，２Ｙは、それぞれ図形、記号及び文字のうちの少なくとも一つを含むトナー画像を形成し、形成したトナー画像を中間転写ベルト９へ１次転写する。
【００７４】
なお、このとき、画像形成部２Ｍ，２Ｃ，２Ｙは、印刷情報に含まれる加色情報に基づいて、消去エリア内のホワイトのトナー画像に他の色を重ね合わせ、消去エリア内に記録済み用紙の下地の色と同じ色のトナー画像を形成する。
【００７５】
印刷要求に画像情報が含まれていないと判断された場合（ステップＳ１３でＮＯ）、又は、図形、記号及び文字のうちの少なくとも一つを含むトナー画像が中間転写ベルト９に転写された場合、ステップＳ１５において、制御部１００は、印刷要求に含まれる消去エリア情報に基づいて、記録済み用紙における消去エリアの位置及び範囲を特定する。
【００７６】
次に、ステップＳ１６において、制御部１００は、消去エリアのトナー画像を中間転写ベルト９へ１次転写するべく画像形成部２Ｗを制御する。画像形成部２Ｗは、消去エリア内を覆うトナー画像を形成し、形成したトナー画像を中間転写ベルト９へ１次転写する。そして、制御部１００は、ベルト駆動モータ１０６の駆動を制御し、中間転写ベルト９を無端回転させ、トナー画像が形成された中間転写ベルト９上の画像形成位置を２次転写ローラ１６まで移動させる。
【００７７】
次に、ステップＳ１７において、制御部１００は、２次転写ローラ駆動モータ１０８を駆動し、中間転写ベルト９上に形成されたトナー画像を給紙部３０によって給紙された記録済み用紙に２次転写する。そして、制御部１００は、搬送ローラ駆動モータ１０７を駆動し、記録済み用紙を定着装置１９へ搬送する。
【００７８】
本実施の形態において、記録済み用紙に記録されている図形、記号及び文字のうちの少なくとも一つを含む印刷情報を擬似的に消去し、新たに図形、記号及び文字のうちの少なくとも一つを追加する場合、まず追加する図形、記号及び文字のうちの少なくとも一つのトナー画像が画像形成部２Ｍ，２Ｃ，２Ｙを用いて中間転写ベルト９に１次転写され、次に消去エリアのトナー画像が画像形成部２Ｗを用いて中間転写ベルト９に１次転写される。このとき、中間転写ベルト９には、図形、記号及び文字のうちの少なくとも一つのトナー画像の上に消去エリアのトナー画像が重ね合わせて形成される。
【００７９】
そして、中間転写ベルト９に形成されたトナー画像が記録済み用紙に２次転写される。図８は、記録済み用紙に２次転写されるトナー画像について説明するための図である。図８に示すように、記録済み用紙Ｐには、既に記録されている記録済み画像４０１の上に消去エリアのトナー画像４０２が形成され、さらにその上に図形、記号及び文字のうちの少なくとも一つのトナー画像４０３が形成される。
【００８０】
図３に戻って、次に、ステップＳ１８において、定着装置１９は、記録済み用紙に転写されたトナー画像を定着させる。次に、ステップＳ１９において、制御部１００は、搬送ローラを回転駆動させる駆動信号を搬送ローラ駆動モータ１０７へ出力する。搬送ローラ駆動モータ１０７は、搬送ローラを回転駆動し、記録済み用紙を記録紙排出部１４へ搬送し、トナー画像が定着された記録済み用紙を装置外部へ排出する。
【００８１】
このように、給紙部３０によって、印刷情報が記録された記録済み用紙が給紙され、制御部１００によって、給紙部３０により給紙される記録済み用紙上における印刷情報の所定の部分が消去エリアとして特定される。そして、画像形成部２Ｗによって、制御部１００により特定された消去エリアに、記録済み用紙の下地の色と同じ色のトナー画像が形成され、中間転写ベルト９によって、給紙部３０により給紙される記録済み用紙に画像形成部２Ｗにより形成されたトナー画像が転写される。
【００８２】
したがって、記録済み用紙上における印刷情報の所定の部分が消去エリアとして特定され、特定された消去エリアに、記録済み用紙の下地の色と同じ色のトナー画像が形成されるので、記録済み用紙の一部を修正することができ、記録済み用紙の廃棄を少なくすることで省資源化を図ることができる。
【００８３】
また、画像形成部２Ｍ，２Ｃ，２Ｙによって、記録済み用紙の下地の色と同じ色のトナー画像が形成された消去エリア内に図形、記号及び文字のうちの少なくとも一つを含むトナー画像が形成されるので、記録済み用紙の一部分を擬似的に消去し、消去した部分に図形、記号及び文字のうちの少なくとも一つを印刷することができる。
【００８４】
また、消去エリアにホワイトのトナー画像が形成され、ホワイトのトナー画像が形成された消去エリア内に図形、記号及び文字のうちの少なくとも一つを含むトナー画像が形成されるので、消去エリア内の印刷情報を白色で擬似的に消去することができ、さらにイエロー、シアン及びマゼンタを用いて図形、記号及び文字のうちの少なくとも一つを印刷することができる。
【００８５】
また、Ｉ／Ｆ１２０によって、通信可能に接続されたＰＣ１３０から、消去エリアを特定するための消去エリア情報を含む印刷要求が受信される。そして、制御部１００によって、Ｉ／Ｆ１２０により受信された印刷要求に含まれる消去エリア情報に基づいて、給紙部３０により給紙される記録済み用紙上における印刷情報の消去エリアが特定される。したがって、通信可能に接続されたＰＣ１３０によって送信された印刷要求に含まれる消去エリア情報に基づいて、記録済み用紙上における印刷情報の消去エリアが特定されるので、記録済み用紙を搬送する搬送経路上に、記録済み用紙の印刷情報を読み取るスキャナを別途設ける必要が無く、複合機１の構成を簡略化することができる。
【００８６】
さらに、Ｉ／Ｆ１２０によって、消去エリアにトナー画像を形成するための図形、記号及び文字のうちの少なくとも一つを含む画像情報をさらに含む印刷要求が受信される。そして、画像形成部２Ｍ，２Ｃ，２Ｙによって、Ｉ／Ｆ１２０により受信された印刷要求に含まれる画像情報に基づいて、記録済み用紙の下地の色と同じ色のトナー画像が形成される消去エリア内に図形、記号及び文字のうちの少なくとも一つを含むトナー画像が形成される。
【００８７】
したがって、通信可能に接続されたＰＣ１３０によって送信された印刷要求に含まれる画像情報に基づいて、記録済み用紙の下地の色と同じ色のトナー画像が形成される消去エリア内に図形、記号及び文字のうちの少なくとも一つを含むトナー画像が形成されるので、図形、記号及び文字のうちの少なくとも一つを含む画像情報を入力するための入力装置を画像形成装置に設ける必要が無く、画像形成装置の構成を簡略化することができる。
【００８８】
さらにまた、Ｉ／Ｆ１２０によって、ホワイトのトナーに他の色を加色することにより記録済み用紙の下地の色と同じ色を再現するための加色情報をさらに含む印刷要求が受信される。そして、画像形成部２Ｍ，２Ｃ，２Ｙによって、Ｉ／Ｆ１２０により受信された印刷情報に含まれる加色情報に基づいて、ホワイトのトナーに他の色を加色し、制御部１００により特定された消去エリア内に、記録済み用紙の下地の色と同じ色のトナー画像が形成される。したがって、記録済み用紙の下地の色がホワイト以外であったとしても、他の色を加色することにより、消去エリア内を記録済み用紙の下地の色と同じにすることができる。
【００８９】
続いて、ＰＣ１３０に印刷情報が存在しない場合における複合機１の動作について説明する。図９は、ＰＣに印刷情報が存在しない場合における複合機１の動作について説明するためのフローチャートである。
【００９０】
まず、ステップＳ３１において、原稿読取部２０は、印刷情報が記録された記録済み用紙を読み取る。すなわち、ユーザは、記録済み用紙を載置原稿用コンタクトガラス２０２ａ（図１参照）又は原稿トレイ２０４（図１参照）に載置し、原稿読取部２０は、載置された原稿を読み取ることで記録済み用紙の印刷情報（画像データ）を取得する。原稿読取部２０は、取得した印刷情報を制御部１００へ出力する。
【００９１】
次に、ステップＳ３２において、制御部１００は、原稿読取部２０によって読み取られた印刷情報をＩ／Ｆ１２０へ出力し、Ｉ／Ｆ１２０は、制御部１００から入力された印刷情報をＰＣ１３０へ送信する。
【００９２】
次に、ステップＳ２１において、ＰＣ１３０は、複合機１によって送信された印刷情報を受信する。次に、ステップＳ２２において、ＰＣ１３０は、受信した印刷情報を表示する。このようにして、ＰＣ１３０は、修正を所望する記録済み用紙の印刷情報を取得し、消去エリアのユーザによる指定を受け付けるとともに、図形、記号及び文字のうちの少なくとも一つのユーザによる指定を受け付けることが可能となる。
【００９３】
なお、図９に示すステップＳ２３〜Ｓ２６までの処理は、図３に示すステップＳ２〜Ｓ５までの処理と同じであり、図９に示すステップＳ３３〜Ｓ４１までの処理は、図３に示すステップＳ１１〜Ｓ１９までの処理と同じであるので、説明を省略する。
【００９４】
このように、原稿読取部２０によって、記録済み用紙に記録されている印刷情報が読み取られ、Ｉ／Ｆ１２０によって、原稿読取部２０により読み取られた記録済み用紙の印刷情報がＰＣ１３０へ送信される。したがって、ＰＣ１３０内に記録済み用紙の印刷情報が存在しない場合であっても、原稿読取部２０によって読み取られた印刷情報をＰＣ１３０に送信することによって、複合機１ではなく、ＰＣ１３０で消去エリア情報を作成することができる。
【００９５】
なお、本実施の形態では、ホワイト用画像形成部２Ｗは、消去エリア内全面を覆うトナー画像を形成するとしているが、本発明は特にこれに限定されず、ホワイト用画像形成部２Ｗは、消去エリア内の印刷情報をドット単位で擬似的に消去するトナー画像を形成してもよい。すなわち、ＰＣ１３０内に印刷情報が存在し、消去エリア内の文字のフォントやフォントサイズが予め認識可能である場合、ホワイト用画像形成部２Ｗは、消去エリア内の文字のみを擬似的に消去するトナー画像を形成する。
【図面の簡単な説明】
【００９６】
【図１】本発明の一実施形態に係る画像形成装置の一例としての複写機の内部構成を概略的に示す断面図である。
【図２】上記複合機の概略構成を示すブロック図である。
【図３】ＰＣに印刷情報が存在する場合における複合機の動作について説明するためのフローチャートである。
【図４】印刷情報を表示する場合におけるＰＣの表示画面の一例を示す図である。
【図５】印刷情報から消去エリアを指定する場合におけるＰＣの表示画面の一例を示す図である。
【図６】文字情報を追加した場合におけるＰＣの表示画面の一例を示す図である。
【図７】複合機へ送信される印刷要求データの一例を示す図である。
【図８】記録済み用紙に２次転写されるトナー画像について説明するための図である。
【図９】ＰＣに印刷情報が存在しない場合における複合機１の動作について説明するためのフローチャートである。
【符号の説明】
【００９７】
１    複合機
２Ｗ    ホワイト用画像形成部
２Ｙ    イエロー用画像形成部
２Ｍ    マゼンタ用画像形成部
２Ｃ    シアン用画像形成部
３    現像装置
５    帯電部
６    露光部
１９    定着装置
２０    原稿読取部
３０    給紙部
１００    制御部
１０１    ＲＯＭ
１０２    ＲＡＭ
１０３    ドラムモータ
１０４    転写バイアス部
１０５    転写ローラ駆動モータ
１０６    ベルト駆動モータ
１０７    搬送ローラ駆動モータ
１０８    ２次転写ローラ駆動モータ
１０９    ２次転写バイアス部
１１０    操作部
１２０    Ｉ／Ｆ
１３０    ＰＣ
【図１】
2007007957.tif 000003
【図２】
2007007957.tif 000004
【図３】
2007007957.tif 000005
【図４】
2007007957.tif 000006
【図５】
2007007957.tif 000007
【図６】
2007007957.tif 000008
【図７】
2007007957.tif 000009
【図８】
2007007957.tif 000010
【図９】
2007007957.tif 000011